(57)【要約】【課題】予めタブレットに対する電子ペンによる文字入力の練習を可能とし、練習結果を実際の取引において使用することが可能な、情報処理装置を提供する。【解決手段】画面表示制御部１５０は、画面表示部２４０へ電子ペン３００を用いて文字を記入させる第１の画面および第２の画面を表示する内容を生成し、判断部１２０は、デバイス情報受信部１１０が取得した電子ペン３００の接触状況に基づく、第１の画面で記入された内容を記入データ記憶部１７０に記憶させ、画面表示制御部１５０が第２の画面を画面表示部２４０に表示させている際に、デバイス情報受信部１１０が取得した電子ペン３００の接触状況に応じて記入データ記憶部１７０に記憶させた内容を取得して画面表示部２４０に表示させることを特徴とする、制御用コンピュータ１００’が提供される。【選択図】図７
2013105416.tif 000002
【特許請求の範囲】
【請求項１】
画面への筆記具の接触状況を取得する接触状況取得部と、
前記接触状況取得部が取得した前記筆記具の接触状況に応じて実行する処理を判断する判断部と、
前記判断部による判断に基づいて、前記接触状況取得部が取得した前記筆記具の接触状況から得られる文字データを記憶する記入データ記憶部と、
前記判断部による判断に基づいて前記画面に表示する内容を制御する画面表示制御部と、
を備え、
前記画面表示制御部は、前記画面へ前記筆記具を用いて文字を記入させる第１の画面および第２の画面を表示する内容を生成し、
前記判断部は、前記接触状況取得部が取得した前記筆記具の接触状況に基づく、前記第１の画面での前記文字データを前記記入データ記憶部に記憶させ、前記画面表示制御部が前記第２の画面を前記画面に表示させている際に、前記接触状況取得部が取得した前記筆記具の接触状況に応じて前記記入データ記憶部に記憶させた内容を取得して、前記画面表示制御部に対し取得した内容を前記画面に表示させることを特徴とする、情報処理装置。
【請求項２】
前記文字データに対して文字認識結果を実行する文字認識部をさらに備えることを特徴とする、請求項１に記載の情報処理装置。
【請求項３】
前記判断部は、前記接触状況取得部が取得した前記筆記具の接触状況に基づく、前記第１の画面での前記文字データと共に該文字データに対する文字認識結果を前記記入データ記憶部に記憶させることを特徴とする、請求項２に記載の情報処理装置。
【請求項４】
前記判断部は、前記第１の画面での前記文字データを前記記入データ記憶部に記憶させる際に該文字データが意味する種別情報を併せて記憶させることを特徴とする、請求項１に記載の情報処理装置。
【請求項５】
前記判断部は、前記記入データ記憶部に記憶させた内容を取得する際に前記種別情報を考慮して前記記入データ記憶部に記憶させた内容を取得することを特徴とする、請求項４に記載の情報処理装置。
【請求項６】
前記画面表示制御部は、前記判断部が取得した、前記記入データ記憶部に記憶させた内容を、前記第２の画面の文字記入領域に表示させることを特徴とする、請求項１に記載の情報処理装置。
【請求項７】
前記画面表示制御部は、前記判断部が取得した、前記記入データ記憶部に記憶させた内容を、前記第２の画面の文字記入領域に表示させる際に、薄い色で表示させることを特徴とする、請求項６に記載の情報処理装置。
【請求項８】
前記画面表示制御部は、前記判断部が取得した、前記記入データ記憶部に記憶させた内容を、前記第２の画面の情報が表示されていない領域に表示させることを特徴とする、請求項１に記載の情報処理装置。
【請求項９】
画面への筆記具の接触状況を取得する接触状況取得ステップと、
前記接触状況取得ステップで取得された前記筆記具の接触状況に応じて実行する処理を判断する判断ステップと、
前記判断ステップによる判断に基づいて、前記接触状況取得ステップで取得された前記筆記具の接触状況から得られる文字データを記憶する記入データ記憶ステップと、
前記判断部による判断に基づいて前記画面に表示する内容を制御する画面表示制御ステップと、
を備え、
前記画面表示制御ステップは、前記画面へ前記筆記具を用いて文字を記入させる第１の画面および第２の画面を表示する内容を生成し、
前記判断ステップは、前記接触状況取得ステップで取得された前記筆記具の接触状況に基づく、前記第１の画面での前記文字データを前記記入データ記憶ステップで記憶させ、前記画面表示制御ステップで前記第２の画面を前記画面に表示させている際に、前記接触状況取得ステップで取得された前記筆記具の接触状況に応じて前記記入データ記憶ステップで記憶させた内容を取得して、前記画面表示制御ステップにおいて前記画面に表示させることを特徴とする、情報表示方法。
【請求項１０】
コンピュータに、
画面への筆記具の接触状況を取得する接触状況取得ステップと、
前記接触状況取得ステップで取得された前記筆記具の接触状況に応じて実行する処理を判断する判断ステップと、
前記判断ステップによる判断に基づいて、前記接触状況取得ステップで取得された前記筆記具の接触状況から得られる文字データを記憶する記入データ記憶ステップと、
前記判断部による判断に基づいて前記画面に表示する内容を制御する画面表示制御ステップと、
を実行させ、
前記画面表示制御ステップは、前記画面へ前記筆記具を用いて文字を記入させる第１の画面および第２の画面を表示する内容を生成し、
前記判断ステップは、前記接触状況取得ステップで取得された前記筆記具の接触状況に基づく、前記第１の画面での前記文字データを前記記入データ記憶ステップで記憶させ、前記画面表示制御ステップで前記第２の画面を前記画面に表示させている際に、前記接触状況取得ステップで取得された前記筆記具の接触状況に応じて前記記入データ記憶ステップで記憶させた内容を取得して、前記画面表示制御ステップにおいて前記画面に表示させることを特徴とする、コンピュータプログラム。
【発明の詳細な説明】
【技術分野】
【０００１】
本発明は、情報処理装置、情報表示方法およびコンピュータプログラムに関する。
【背景技術】
【０００２】
タブレットと言われる板状の情報表示装置に、電子ペン等で手書き入力した文字に対し、即時に文字認識処理を行なって、入力された文字の可能性が最も高い文字をリアルタイムに表示する技術が知られている（例えば特許文献１参照）。さらに、文字認識結果の候補となる文字を併せて表示し、選択させることで認識結果を修正する技術が、各種オペレーティングシステムに組み込まれている。
【０００３】
近年、銀行に代表される金融システムにおいて、ＡＴＭ（Ａｕｔｏｍａｔｉｃ  Ｔｅｌｌｅｒ  Ｍａｃｈｉｎｅ；現金自動預払機）が広く普及しており、口座への入出金や振込のような簡易な取引であれば、ＡＴＭのみでその取引が成立するようになっている。しかし、取引が複雑な場合や、お年寄りなどＡＴＭの使用に不慣れな利用者の場合には、専用の帳票用紙に必要事項を記入してもらい、記入された内容を窓口でオペレータが端末に打ち込むことで、取引を行うケースが依然として存在する。
【０００４】
近年は資源保護の観点などから、紙媒体の排除という要請が存在する。紙媒体を排除しつつ、記入内容の登録を自動化するには、銀行の営業店に、紙への記入に近い感覚で利用できる専用のタブレットと専用の電子ペンを設置し、従来の帳票用紙に記入していた内容を、電子ペンを用いてタブレットに記入してもらう方法がある（例えば、特許文献２、３参照）。
【先行技術文献】
【特許文献】
【０００５】
【特許文献１】特開昭６１−１３４８８８号公報
【特許文献２】特開２００７−７２０８６号公報
【特許文献３】特開２０００−１２２７６９号公報
【発明の概要】
【発明が解決しようとする課題】
【０００６】
しかし、専用のタブレットと専用の電子ペンを設置し、従来の帳票用紙に記入していた内容を、電子ペンを用いてタブレットに記入してもらう方法を採った場合に、記入内容を修正したり、文字認識結果を文字認識結果候補から選択したりする機能が必要となる。例えば、名前を記入し、記入と同時に文字認識結果や文字認識結果候補を自動的にタブレットに表示する仕組みの場合、文字認識処理は機械処理のため、誤認識の問題はどうしても発生し、誤認識した場合に、タブレットへ文字を書きなおしたり、文字認識結果候補から選択し直したりする等の修正作業が必要となる。また、単に利用者による書き間違いなどにより修正の必要性が発生する場合もある。
【０００７】
このような、認識結果に対する修正や再記入の必要性は、分かりやすいユーザインタフェースを採用したとしても排除することは不可能である。結果として、機械に不慣れなユーザに対しては、タブレットに対する電子ペンによる文字入力に不安感を与え、敬遠されてしまうという問題が生じる。
【０００８】
そこで、本発明は、上記問題に鑑みてなされたものであり、本発明の目的とするところは、タブレットに対する電子ペンによる文字入力に不慣れなユーザに対して、予めタブレットに対する電子ペンによる文字入力の練習を可能とし、練習結果を実際の取引において使用することが可能な、新規かつ改良された情報処理装置、情報表示方法およびコンピュータプログラムを提供することにある。
【課題を解決するための手段】
【０００９】
上記課題を解決するために、本発明のある観点によれば、画面への筆記具の接触状況を取得する接触状況取得部と、前記接触状況取得部が取得した前記筆記具の接触状況に応じて実行する処理を判断する判断部と、前記判断部による判断に基づいて、前記接触状況取得部が取得した前記筆記具の接触状況から得られる文字データを記憶する記入データ記憶部と、前記判断部による判断に基づいて前記画面に表示する内容を制御する画面表示制御部と、を備え、前記画面表示制御部は、前記画面へ前記筆記具を用いて文字を記入させる第１の画面および第２の画面を表示する内容を生成し、前記判断部は、前記接触状況取得部が取得した前記筆記具の接触状況に基づく、前記第１の画面での前記文字データを前記記入データ記憶部に記憶させ、前記画面表示制御部が前記第２の画面を前記画面に表示させている際に、前記接触状況取得部が取得した前記筆記具の接触状況に応じて前記記入データ記憶部に記憶させた内容を取得して、前記画面表示制御部に対し取得した内容を前記画面に表示させることを特徴とする、情報処理装置が提供される。
【００１０】
上記情報処理装置は、前記文字データに対して文字認識結果を実行する文字認識部をさらに備えていてもよい。
【００１１】
前記判断部は、前記接触状況取得部が取得した前記筆記具の接触状況に基づく、前記第１の画面での前記文字データと共に該文字データに対する文字認識結果を前記記入データ記憶部に記憶させるようにしてもよい。
【００１２】
前記判断部は、前記第１の画面での前記文字データを前記記入データ記憶部に記憶させる際に該文字データが意味する種別情報を併せて記憶させるようにしてもよい。
【００１３】
前記判断部は、前記記入データ記憶部に記憶させた内容を取得する際に前記種別情報を考慮して前記記入データ記憶部に記憶させた内容を取得するようにしてもよい。
【００１４】
前記画面表示制御部は、前記判断部が取得した、前記記入データ記憶部に記憶させた内容を、前記第２の画面の文字記入領域に表示させるようにしてもよい。
【００１５】
前記画面表示制御部は、前記判断部が取得した、前記記入データ記憶部に記憶させた内容を、前記第２の画面の文字記入領域に表示させる際に、薄い色で表示させるようにしてもよい。
【００１６】
前記画面表示制御部は、前記判断部が取得した、前記記入データ記憶部に記憶させた内容を、前記第２の画面の情報が表示されていない領域に表示させるようにしてもよい。
【００１７】
また、上記課題を解決するために、本発明の別の観点によれば、画面への筆記具の接触状況を取得する接触状況取得ステップと、前記接触状況取得ステップで取得された前記筆記具の接触状況に応じて実行する処理を判断する判断ステップと、前記判断ステップによる判断に基づいて、前記接触状況取得ステップで取得された前記筆記具の接触状況から得られる文字データを記憶する記入データ記憶ステップと、前記判断部による判断に基づいて前記画面に表示する内容を制御する画面表示制御ステップと、を備え、前記画面表示制御ステップは、前記画面へ前記筆記具を用いて文字を記入させる第１の画面および第２の画面を表示する内容を生成し、前記判断ステップは、前記接触状況取得ステップで取得された前記筆記具の接触状況に基づく、前記第１の画面での前記文字データを前記記入データ記憶ステップで記憶させ、前記画面表示制御ステップで前記第２の画面を前記画面に表示させている際に、前記接触状況取得ステップで取得された前記筆記具の接触状況に応じて前記記入データ記憶ステップで記憶させた内容を取得して、前記画面表示制御ステップにおいて前記画面に表示させることを特徴とする、情報表示方法が提供される。
【００１８】
また、上記課題を解決するために、本発明の別の観点によれば、コンピュータに、画面への筆記具の接触状況を取得する接触状況取得ステップと、前記接触状況取得ステップで取得された前記筆記具の接触状況に応じて実行する処理を判断する判断ステップと、前記判断ステップによる判断に基づいて、前記接触状況取得ステップで取得された前記筆記具の接触状況から得られる文字データを記憶する記入データ記憶ステップと、前記判断部による判断に基づいて前記画面に表示する内容を制御する画面表示制御ステップと、を実行させ、前記画面表示制御ステップは、前記画面へ前記筆記具を用いて文字を記入させる第１の画面および第２の画面を表示する内容を生成し、前記判断ステップは、前記接触状況取得ステップで取得された前記筆記具の接触状況に基づく、前記第１の画面での前記文字データを前記記入データ記憶ステップで記憶させ、前記画面表示制御ステップで前記第２の画面を前記画面に表示させている際に、前記接触状況取得ステップで取得された前記筆記具の接触状況に応じて前記記入データ記憶ステップで記憶させた内容を取得して、前記画面表示制御ステップにおいて前記画面に表示させることを特徴とする、コンピュータプログラムが提供される。
【発明の効果】
【００１９】
以上説明したように本発明によれば、タブレットに対する電子ペンによる文字入力に不慣れなユーザに対して、予めタブレットに対する電子ペンによる文字入力の練習を可能とし、練習結果を実際の取引において使用することが可能な、新規かつ改良された情報処理装置、情報表示方法およびコンピュータプログラムを提供すること
【図面の簡単な説明】
【００２０】
【図１】本発明の第１の実施形態にかかる情報表示システム１の構成例を示す説明図である。
【図２】本発明の第１の実施形態にかかる情報表示システム１を構成する、制御用コンピュータ１００およびタブレット２００の機能構成を示す説明図である。
【図３】画面表示部２４０に表示される画面の一例を示す説明図である。
【図４】画面表示部２４０に表示される画面の一例を示す説明図である。
【図５】本発明の第１の実施形態にかかる情報表示システム１を構成する、制御用コンピュータ１００およびタブレット２００の動作を示す流れ図である。
【図６】画面表示部２４０に表示される画面の一例を示す説明図である。
【図７】本発明の第２の実施形態にかかる情報表示システム１を構成する、制御用コンピュータ１００’およびタブレット２００の機能構成を示す説明図である。
【図８】制御用コンピュータ１００’およびタブレット２００の動作を示す流れ図である。
【図９】画面表示部２４０に表示される画面の一例を示す説明図である。
【図１０】画面表示部２４０に表示される画面の一例を示す説明図である。
【図１１】制御用コンピュータ１００’およびタブレット２００の動作を示す流れ図である。
【図１２】画面表示部２４０に表示される画面の一例を示す説明図である。
【図１３】画面表示部２４０に表示される画面の一例を示す説明図である。
【図１４】画面表示部２４０に表示される画面の一例を示す説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
［情報表示システムの構成例］
まず、本発明の第１の実施形態にかかる情報表示システムの構成例について説明する。図１は、本発明の第１の実施形態にかかる情報表示システム１の構成例を示す説明図である。以下、図１を用いて、本発明の第１の実施形態にかかる情報表示システム１の構成例について説明する。
【００２３】
図１に示したように、本発明の第１の実施形態にかかる情報表示システム１は、制御用コンピュータ１００と、タブレット２００と、電子ペン３００と、を含んで構成される。
【００２４】
制御用コンピュータ１００は、本発明の情報処理装置の一例であり、内部に有するコンピュータプログラム等によって、タブレット２００への画面表示を制御する。タブレット２００は、画面を表示する機能を有する板状の端末である。タブレット２００は、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）その他の画像表示規格に則った画面表示用ケーブル１１、およびＵＳＢその他の規格に則った制御用ケーブル１２によって制御用コンピュータ１００と接続される。タブレット２００は、制御用コンピュータ１００の制御によって、画面に画像を表示する。
【００２５】
電子ペン３００は、タブレット２００のポインティングデバイスである。電子ペン３００のペン先を、タブレット２００の画面に接触させることで、タブレット２００は、電子ペン３００のペン先が接触した座標位置や、電子ペン３００のペン先の筆圧情報等の、電子ペン３００のタブレット２００の画面への接触に伴って発生する情報（以下「デバイス情報」とも称する）を取得することができる。
【００２６】
以上、本発明の第１の実施形態にかかる情報表示システム１の構成例について説明した。続いて、本発明の第１の実施形態にかかる情報表示システム１を構成する、制御用コンピュータ１００およびタブレット２００の機能構成について説明する。
【００２７】
［制御用コンピュータおよびタブレットの機能構成］
図２は、本発明の第１の実施形態にかかる情報表示システム１を構成する、制御用コンピュータ１００およびタブレット２００の機能構成を示す説明図である。以下、図２を用いて本発明の第１の実施形態にかかる情報表示システム１を構成する、制御用コンピュータ１００およびタブレット２００の機能構成について説明する。
【００２８】
図２に示したように、本発明の第１の実施形態にかかる制御用コンピュータ１００は、デバイス情報受信部１１０と、判断部１２０と、文字認識部１３０と、辞書データ保持部１４０と、画面表示制御部１５０と、画面情報送信部１６０と、を含んで構成される。
【００２９】
また、図２に示したように、本発明の第１の実施形態にかかるタブレット２００は、デバイス情報検知部２１０と、デバイス情報送信部２２０と、画面情報受信部２３０と、画面表示部２４０と、を含んで構成される。
【００３０】
まず制御用コンピュータ１００の構成について説明する。デバイス情報受信部１１０は、タブレット２００のデバイス情報送信部２２０から制御用ケーブル１２を介して送信されるデバイス情報を受信する。デバイス情報受信部１１０は、タブレット２００から受信したデバイス情報を判断部１２０へ提供する。
【００３１】
判断部１２０は、デバイス情報受信部１１０がタブレット２００から受信したデバイス情報の提供を受けて、そのデバイス情報を基に次に実行すべき動作を判断する。例えば、判断部１２０がデバイス情報受信部１１０から取得したデバイス情報が、タブレット２００に電子ペン３００で記入された文字の認識処理を実行するためのボタンが押されたものであると判断すれば、判断部１２０は、タブレット２００に電子ペン３００で記入された文字の認識を文字認識部１３０に指示する。また判断部１２０は、デバイス情報受信部１１０から取得したデバイス情報に基づいて、タブレット２００に表示すべき内容を決定し、画面表示制御部１５０に対して、タブレット２００に表示する情報の作成を指示する。
【００３２】
文字認識部１３０は、タブレット２００に電子ペン３００で記入された内容がどの文字であるかを認識するものである。文字認識部１３０は、例えば判断部１２０の指示により、辞書データ保持部１４０に保持されている辞書データと、タブレット２００に電子ペン３００で記入された内容とを照らし合わせることで文字認識処理を実行する。
【００３３】
辞書データ保持部１４０は、文字認識部１３０の文字認識処理に用いられる辞書データを保持する。文字認識部１３０は、辞書データ保持部１４０に保持されている辞書データと、タブレット２００に電子ペン３００で記入された内容とを照らし合わせて、記入された内容に最も近い文字を認識結果と決定し、記入された内容に近い文字を、辞書データ保持部１４０から近い順に一定数抽出し、認識結果候補として決定する。文字認識部１３０は、文字認識の結果を判断部１２０に返し、判断部１２０は、文字認識部１３０による文字認識の結果をタブレット２００に表示させるための情報を画面表示制御部１５０に作成させる。
【００３４】
画面表示制御部１５０は、判断部１２０の指示に基づいて、タブレット２００に表示する情報（画面情報）を作成する。画面表示制御部１５０は、例えば、文字認識部１３０による文字認識の結果をタブレット２００に表示させるための情報の作成の指示を判断部１２０から受けて、判断部１２０の指示に基づいて、文字認識部１３０による文字認識の結果をタブレット２００に表示させるための情報を生成する。画面表示制御部１５０は、作成した情報を画面情報送信部１６０に送る。
【００３５】
画面情報送信部１６０は、画面表示制御部１５０が作成した、タブレット２００に表示する情報（画面情報）を、画面表示用ケーブル１１を介してタブレット２００に送信する。タブレット２００は、画面情報送信部１６０から画面表示用ケーブル１１を介して送られてきた情報（画面情報）を受信することで、制御用コンピュータ１００が生成した情報（画面情報）を表示することができる。
【００３６】
続いてタブレット２００の構成について説明する。デバイス情報検知部２１０は、電子ペン３００のペン先がタブレット２００の画面表示部２４０に接触した際に、その接触した座標や電子ペン３００の筆圧などのデバイス情報を検知する。デバイス情報検知部２１０は、電子ペン３００のペン先の、画面表示部２４０への接触により得られるデバイス情報を、デバイス情報送信部２２０に送る。
【００３７】
デバイス情報送信部２２０は、デバイス情報検知部２１０が検知して取得したデバイス情報を受け取り、受け取ったデバイス情報を、制御用ケーブル１２を介して制御用コンピュータ１００へ送信する。
【００３８】
画面情報受信部２３０は、制御用コンピュータ１００の画面情報送信部１６０から画面表示用ケーブル１１を介して送信されて来る情報（画面情報）を受信する。画面情報受信部２３０は、画面情報送信部１６０から送信されて来る画面情報を画面表示部２４０へ送る。
【００３９】
画面表示部２４０は、画面情報受信部２３０から送られて来る画面情報に基づいて画像を表示する。画面表示部２４０は、画面情報受信部２３０から送られて来る画面情報に基づいて画像を表示することで、制御用コンピュータ１００の画面表示制御部１５０が生成した情報（画面情報）を表示することができる。また画面表示部２４０は、電子ペン３００のペン先の接触を検知することができるよう構成されている。画面表示部２４０が、電子ペン３００のペン先の接触を検知することができるよう構成されていることで、デバイス情報検知部２１０が電子ペン３００のデバイス情報を検知することができる。
【００４０】
制御用コンピュータ１００とタブレット２００とが、図２に示したような構成を有することで、タブレット２００の画面表示部２４０に電子ペン３００を接触させて文字を記入すると、入力された文字を認識して、タブレット２００の画面表示部２４０に即座に表示させることができる。
【００４１】
図３は、タブレット２００の画面表示部２４０に表示される画面の一例を示す説明図である。図３に示したのは、画面表示部２４０に電子ペン３００のペン先を接触させて文字を記入させるための画面の一例である。図３に示した画面には、文字記入部４１０と、認識結果表示部４２０と、認識結果候補表示部４３０と、記入内容修正ボタン４４０と、戻るボタン４５０と、確定ボタン４６０と、が含まれている。
【００４２】
文字記入部４１０は、電子ペン３００のペン先を接触させて文字を記入させるための領域である。文字記入部４１０に電子ペン３００のペン先が接触されると、接触座標や筆圧などのデバイス情報がデバイス情報検知部２１０で検知され、デバイス情報送信部２２０から制御用コンピュータ１００へ送られる。制御用コンピュータ１００は、タブレット２００から送られてくるデバイス情報に基づいて文字認識処理を実行し、文字認識結果と文字認識結果候補とを決定する。そして制御用コンピュータ１００は、文字認識結果と文字認識結果候補をタブレット２００に送信する。
【００４３】
認識結果表示部４２０は、制御用コンピュータ１００での文字認識処理により決定される文字認識結果を表示するための領域である。また認識結果候補表示部４３０は、制御用コンピュータ１００での文字認識処理により決定される文字認識結果候補を表示するための領域である。
【００４４】
記入内容修正ボタン４４０は、文字記入部４１０に入力した内容を修正する場合に用いられるボタンである。戻るボタン４５０は、前画面（例えばメニュー画面）に戻るためのボタンである。確定ボタン４６０は、文字記入部４１０に入力した内容で確定させるためのボタンである。
【００４５】
図４は、タブレット２００の画面表示部２４０に表示される画面の一例を示す説明図である。図４に示したのは、文字記入部４１０に記入された文字の文字認識結果と文字認識結果候補とが表示されている状態を表す画面の一例である。図４に示したように、電子ペン３００によって文字記入部４１０に文字が記入されると、記入された内容の認識結果と、記入された内容に近い文字認識結果候補とが画面表示部２４０に表示される。
【００４６】
以上、図２を用いて本発明の第１の実施形態にかかる情報表示システム１を構成する、制御用コンピュータ１００およびタブレット２００の機能構成について説明した。次に、本発明の第１の実施形態にかかる情報表示システム１を構成する、制御用コンピュータ１００およびタブレット２００の動作について説明する。
【００４７】
［制御用コンピュータおよびタブレットの動作］
図５は、本発明の第１の実施形態にかかる情報表示システム１を構成する、制御用コンピュータ１００およびタブレット２００の動作を示す説明図である。また、図６は、タブレット２００の画面表示部２４０に表示されるメニュー画面の一例を示す説明図である。以下、本発明の第１の実施形態にかかる情報表示システム１を構成する、制御用コンピュータ１００およびタブレット２００の動作について説明する。
【００４８】
タブレット２００において、図６に示したようなメニュー画面が画面表示部２４０に表示されている場合に、電子ペン３００によって「手書きを試す」ボタンがユーザによって選択されると（ステップＳ１０１）、デバイス情報検知部２１０は、電子ペン３００のデバイス情報を検知し、デバイス情報送信部２２０は、デバイス情報検知部２１０が検知したデバイス情報を制御用コンピュータ１００に送信する（ステップＳ１０２）。ここでデバイス情報検知部２１０は、電子ペン３００の接触座標や筆圧、接触を開始した座標位置、接触を終了した座標位置などの情報を、デバイス情報として検出する。
【００４９】
制御用コンピュータ１００では、タブレット２００から送信されてきたデバイス情報をデバイス情報受信部１１０が受信し、デバイス情報受信部１１０が受信したデバイス情報は判断部１２０が取得する。判断部１２０は、取得したデバイス情報と、タブレット２００に表示されている内容とから、「手書きを試す」ボタンがユーザによって選択されたことを判断し、タブレット２００に試し書き画面を表示することを決定する（ステップＳ１０３）。
【００５０】
上記ステップＳ１０３で、タブレット２００に試し書き画面を表示することを判断部１２０が決定すると。判断部１２０は、タブレット２００に試し書き画面を表示するための情報を画面表示制御部１５０に作成させる。画面表示制御部１５０は、判断部１２０からの指示に基づいて、タブレット２００に試し書き画面を表示するための情報を生成する。生成した情報は、画面情報送信部１６０からタブレット２００に送られる（ステップＳ１０４）。
【００５１】
タブレット２００は、画面情報送信部１６０から送信されてくる、試し書き画面を表示するための情報を画面情報受信部２３０で受信し、受信した情報に基づいて試し書き画面を画面表示部２４０に表示する（ステップＳ１０５）。
【００５２】
試し書き画面はどのような仕様のものであってもよく、例えば図３に示したような実際の取引画面を模したようなものであってもよい。試し書き画面を表示するための情報を作成して、タブレット２００に送信することで、制御用コンピュータ１００は、ユーザに対して、電子ペン３００を用いたタブレット２００への手書き入力を練習させることが可能になる。また、「手書きを試す」ボタンは、メニュー画面に表示されるものとして説明したが、取引画面の一部に表示するようにしてもよい。そのように表示することで、ユーザは取引の最中であっても、試し書きの必要性を感じた時点で試し書きを行うことができ、ユーザの利便性が向上する効果が期待できる。
【００５３】
＜２．第２の実施形態＞
以上説明した本発明の第１の実施形態では、制御用コンピュータ１００が、タブレット２００に試し書き画面を表示させるための情報を作成して、作成した情報をタブレット２００に送信することで、ユーザに対して、電子ペン３００を用いたタブレット２００への手書き入力を練習させることを可能とした。
【００５４】
ここで、タブレット２００に試し書き画面を表示させて、電子ペン３００での手書き入力をユーザに練習させた際に、上手く書けたものを実際の取引において使用できるようにすると、ユーザの利便性を高めることができる。本発明の第２の実施形態では、タブレット２００に試し書き画面を表示させて、電子ペン３００での手書き入力をユーザに練習させた際に、上手く書けたものを保存して、実際の取引において使用できるようにする構成および動作について説明する。
【００５５】
［制御用コンピュータおよびタブレットの機能構成］
図７は、本発明の第２の実施形態にかかる情報表示システム１’を構成する、制御用コンピュータ１００’およびタブレット２００の機能構成を示す説明図である。以下、図７を用いて本発明の第２の実施形態にかかる情報表示システム１’を構成する、制御用コンピュータ１００’およびタブレット２００の機能構成について説明する。
【００５６】
図７に示した制御用コンピュータ１００’は、図２に示した制御用コンピュータ１００の構成に、記入データ記憶部１７０が追加されている。記入データ記憶部１７０は、必要に応じて、タブレット２００に電子ペン３００で記入された内容と、記入された内容の文字認識部１３０による認識結果とを紐付けて記憶する。なお、記入データ記憶部１７０に記憶する認識結果は、ユーザによって認識結果候補から選択されたものに変更してもよい。
【００５７】
制御用コンピュータ１００’は、図７に示したような構成を有することで、タブレット２００に電子ペン３００で記入された内容と、記入された内容の文字認識部１３０による認識結果とを紐付けて、記入データ記憶部１７０に記憶することができる。そして、記入データ記憶部１７０に記憶された内容は、必要に応じて、タブレット２００に表示される実際の取引画面において呼び出して使用することができる。
【００５８】
以上、図７を用いて本発明の第２の実施形態にかかる情報表示システム１’を構成する、制御用コンピュータ１００’およびタブレット２００の機能構成について説明した。次に、制御用コンピュータ１００’およびタブレット２００の動作について説明する。
【００５９】
［制御用コンピュータおよびタブレットの動作］
図８は、制御用コンピュータ１００’およびタブレット２００の動作を示す流れ図である。図８に示した流れ図は、ユーザがタブレット２００に電子ペン３００で記入した内容を、制御用コンピュータ１００’に保存する場合の動作を示したものである。また、図９は、タブレット２００の画面表示部２４０に表示される画面の一例を示す説明図である。図９に示した画面は、ユーザがタブレット２００に電子ペン３００で記入した内容を制御用コンピュータ１００’に保存することができる試し書き画面の一例である。
【００６０】
図９に示した試し書き画面には、文字記入部５１０と、認識結果表示部５２０と、認識結果保存部５３０と、記入内容修正ボタン５４０と、戻るボタン５５０と、が含まれている。
【００６１】
文字記入部５１０は、電子ペン３００のペン先を接触させて文字を記入させるための領域である。文字記入部５１０に電子ペン３００のペン先が接触されると、接触座標や筆圧などのデバイス情報がデバイス情報検知部２１０で検知され、デバイス情報送信部２２０から制御用コンピュータ１００’へ送られる。制御用コンピュータ１００’は、タブレット２００から送られてくるデバイス情報に基づいて文字認識処理を実行し、文字認識結果と文字認識結果候補とを決定する。そして制御用コンピュータ１００’は、文字認識結果と文字認識結果候補をタブレット２００に送信する。
【００６２】
認識結果表示部５２０は、制御用コンピュータ１００’での文字認識処理により決定される文字認識結果を表示するための領域である。記入内容保存ボタン５３０は、文字記入部５１０に記入された内容を制御用コンピュータ１００’に保存するためのボタンである。記入内容修正ボタン５４０は、文字記入部５１０に入力した内容を修正する場合に用いられるボタンである。戻るボタン５５０は、前画面（例えばメニュー画面）に戻るためのボタンである。
【００６３】
図１０は、タブレット２００の画面表示部２４０に表示される画面の一例を示す説明図である。図１０に示した画面は、図９に示した試し書き画面に、ユーザが電子ペン３００を用いて手書き入力を試した状態の一例を示したものである。文字記入部５１０に、電子ペン３００で文字が記入されると、制御用コンピュータ１００’は、文字記入部５１０に記入された内容を認識して、認識結果を取得する。タブレット２００は、制御用コンピュータ１００’によって取得された認識結果を、認識結果表示部５２０へ出力する。
【００６４】
以下、ユーザがタブレット２００に電子ペン３００で記入した内容を、制御用コンピュータ１００’に保存する場合の動作について説明する。
【００６５】
タブレット２００において、図１０に示したような試し書き画面が画面表示部２４０に表示されている場合に、電子ペン３００によって「記入内容の保存」ボタンがユーザによって選択されると（ステップＳ２０１）、デバイス情報検知部２１０は、電子ペン３００のデバイス情報を検知し、デバイス情報送信部２２０は、デバイス情報検知部２１０が検知したデバイス情報を制御用コンピュータ１００’に送信する（ステップＳ２０２）。
【００６６】
制御用コンピュータ１００’では、タブレット２００から送信されてきたデバイス情報をデバイス情報受信部１１０が受信し、デバイス情報受信部１１０が受信したデバイス情報は判断部１２０が取得する。判断部１２０は、取得したデバイス情報と、タブレット２００に表示されている内容とから、「記入内容の保存」ボタンがユーザによって選択されたことを判断し、タブレット２００に電子ペン３００で記入された内容を記入データ記憶部１７０に記憶することを決定する（ステップＳ２０３）。
【００６７】
ここで、タブレット２００に電子ペン３００で記入された内容を記入データ記憶部１７０に記憶する際には、単に文字記入部５１０に記入された内容と、認識結果表示部５２０に表示される文字認識結果とを記憶するようにしても良い。しかし、試し書きした内容が、例えば名前であるのか、または住所であるのかが分かれば、実際の取引画面に呼び出す際に、記入データ記憶部１７０に記憶された内容が呼び出しやすくなる。従って、タブレット２００に電子ペン３００で記入された内容を記入データ記憶部１７０に記憶する際には、試し書きした内容がどのような情報であるのかを示す種別情報を、併せて記入データ記憶部１７０に記憶してもよい。
【００６８】
試し書きの種別情報は、例えば、図１０に示すような試し書き画面であれば、「記入内容の保存」ボタンを選択したユーザに対して住所・氏名等の種別情報を選択させるようにしてもよい。あるいは、実際の取引画面を模したような試し書き画面であれば、その画面で入力する項目種別が１つであればその種別情報を利用し、その画面で入力する項目種別が名前と住所等複数あるような場合は、試し書きを行うための領域が分かれているので、試し書きを行った項目の種別情報を自動的に特定して記入データ記憶部１７０へ記憶することができる。
【００６９】
なお、タブレット２００に電子ペン３００で記入された内容を記入データ記憶部１７０に記憶させた後の処理については特に制限はなく、例えば、記憶させた後も試し書き画面をそのまま表示させた状態としてもよく、記憶させた後は、タブレット２００の表示を、図６に示すようなメニュー画面に遷移させるようにしてもよい。
【００７０】
以上、ユーザがタブレット２００に電子ペン３００で記入した内容を、制御用コンピュータ１００’に保存する場合の動作について説明した。続いて、制御用コンピュータ１００’およびタブレット２００の他の動作について説明する。
【００７１】
図１１は、制御用コンピュータ１００’およびタブレット２００の動作を示す流れ図である。図１１に示した流れ図は、制御用コンピュータ１００’に保存された、ユーザがタブレット２００に電子ペン３００で記入した内容を、制御用コンピュータ１００’から呼び出してタブレット２００に表示する場合の動作を示したものである。また、図１２は、タブレット２００の画面表示部２４０に表示される画面の一例を示す説明図である。図１２に示した画面は、銀行に口座を開設する際にタブレット２００に表示される画面である。
【００７２】
図１２に示した口座開設画面には、文字記入部６１０と、認識結果表示部６２０と、保存内容表示ボタン６３０と、記入内容修正ボタン６４０と、戻るボタン６５０と、確定ボタン６６０と、が含まれている。
【００７３】
文字記入部６１０、認識結果表示部６２０、記入内容修正ボタン６４０、および戻るボタン６５０の機能は、図９に示した試し書き画面における、文字記入部５１０、認識結果表示部５２０、記入内容修正ボタン５４０、および戻るボタン５５０と同一のものであり、また確定ボタン６６０の機能は、図３に示した確定ボタン４６０の機能と同一のものであるから、詳細な説明は省略する。
【００７４】
保存内容表示ボタン６３０は、制御用コンピュータ１００’に保存された、ユーザがタブレット２００に電子ペン３００で記入した内容を、画面に表示するためのボタンである。ユーザが電子ペン３００のペン先を保存内容表示ボタン６３０に接触させると、制御用コンピュータ１００’は、電子ペン３００のペン先が保存内容表示ボタン６３０に触れたことを検知して、記入データ記憶部１７０に記憶されている内容をタブレット２００に表示させることが出来る。
【００７５】
以下、制御用コンピュータ１００’に保存された、ユーザがタブレット２００に電子ペン３００で記入した内容を、制御用コンピュータ１００’から呼び出してタブレット２００に表示する場合の動作について説明する。
【００７６】
タブレット２００において、図１２に示したような口座開設画面が画面表示部２４０に表示されている場合に、電子ペン３００によって保存内容表示ボタン６３０がユーザによって選択されると（ステップＳ３０１）、デバイス情報検知部２１０は、電子ペン３００のデバイス情報を検知し、デバイス情報送信部２２０は、デバイス情報検知部２１０が検知したデバイス情報を制御用コンピュータ１００’に送信する（ステップＳ３０２）。
【００７７】
制御用コンピュータ１００’では、タブレット２００から送信されてきたデバイス情報をデバイス情報受信部１１０が受信し、デバイス情報受信部１１０が受信したデバイス情報は判断部１２０が取得する。判断部１２０は、取得したデバイス情報と、タブレット２００に表示されている内容とから、保存内容表示ボタン６３０がユーザによって選択されたことを判断し、記入データ記憶部１７０に記憶されている内容を記入データ記憶部１７０から取得することを決定する（ステップＳ３０３）。
【００７８】
記入データ記憶部１７０から読み出される内容は、ユーザが電子ペン３００を用いてタブレット２００に試し書きした内容と、試し書きの内容に対して文字認識処理を実行して得られる文字認識結果が含まれるようにしても良い。そして、記入データ記憶部１７０に、これらの情報が複数記憶されている場合には、判断部１２０は、最も新しく保存された内容を読みだすようにしてもよく、また読みだす内容が指定されている場合は、その指定された内容を読みだすようにしてもよい。
【００７９】
例えば、図１２に示したような口座開設画面において、ユーザに名前を入力させる画面が表示されていた場合は、電子ペン３００によって保存内容表示ボタン６３０がユーザによって選択されると、判断部１２０は、名前として保存されている情報を記入データ記憶部１７０から読み出すようにしてもよい。そのためには、予め手書き入力した内容を保存する際に、手書き入力された情報が名前であることが分かるように記入データ記憶部１７０に記憶させておくことが望ましい。すなわち、試し書きを行った項目の種別情報を記入データ記憶部１７０に記憶しておき、該当する種別情報の試し書きを行ったデータを記入データ記憶部１７０から読み出すようにすればよい。あるいは、当該ユーザが保存した内容を項目種別の情報とともに一覧表示し、選択させるようにしてもよい。
【００８０】
上記ステップＳ３０３で、記入データ記憶部１７０に記憶されている内容を記入データ記憶部１７０から取得することを判断部１２０が決定すると。判断部１２０は、記入データ記憶部１７０から取得した情報をタブレット２００へ表示させるための情報を画面表示制御部１５０に作成させる。画面表示制御部１５０は、判断部１２０からの指示に基づいて、記入データ記憶部１７０から取得した情報をタブレット２００へ表示させるための情報を生成する。生成した情報は、画面情報送信部１６０からタブレット２００に送られる（ステップＳ３０４）。
【００８１】
タブレット２００は、画面情報送信部１６０から送信されてくる、記入データ記憶部１７０から取得した情報をタブレット２００へ表示させるための情報を画面情報受信部２３０で受信し、受信した情報に基づいて、判断部１２０が記入データ記憶部１７０から取得した情報を画面表示部２４０に表示する（ステップＳ３０５）。
【００８２】
図１３は、タブレット２００の画面表示部２４０に表示される画面の一例を示す説明図である。図１３に示した画面は、図１２に示すような、銀行に口座を開設する際にタブレット２００に表示される画面で電子ペン３００によって保存内容表示ボタン６３０がユーザによって選択された場合に表示される画面の一例である。
【００８３】
図１３に示すように、電子ペン３００によって保存内容表示ボタン６３０がユーザによって選択されると、その選択を検知した制御用コンピュータ１００’の判断部１２０が記入データ記憶部１７０から情報を取得し、その取得した情報がタブレット２００に送信されて表示される。このように、ユーザが電子ペン３００を用いてタブレット２００に予め試し書き画面に記入しておいた内容を読み出すことで、本発明の第２の実施形態にかかる情報表示システム１’は、試し書き画面で保存された内容を取引画面（ここでは口座開設画面）に表示することができる。
【００８４】
なお、試し書き画面に記入しておいた内容の取引画面への表示については、図１３に示したように、記入された状態と同じ状態で表示するようにしてもよく、この場合は、記入された状態と同じ状態を画面表示部２４０に表示した後に、表示した内容を用いるかどうかの問い合わせダイアログを画面表示部２４０に表示するようにしても良い。問い合わせダイアログを画面表示部２４０に表示した場合は、表示した内容を用いることをユーザが選択した場合は、画面表示部２４０への手書き文字の情報および認識結果の情報の表示を維持し、表示した内容を用いないことをユーザが選択した場合は、画面表示部２４０への手書き文字の情報および認識結果の情報を画面表示部２４０から消去するようにしてもよい。
【００８５】
また、試し書き画面に記入しておいた内容の取引画面への表示については、例えば図１４に示すように、ダイアログ等で手書き文字の情報を、取引画面中の空いているスペースである記憶内容表示領域６７０に表示するようにしてもよい。ダイアログ等で試し書き画面に記入しておいた内容を取引画面中の空いているスペースに表示することで、ユーザに、試し書き画面に記入しておいた内容を見ながら電子ペン３００による文字記入をさせることができる。
【００８６】
また、試し書き画面に記入しておいた内容の取引画面への表示については、図１３に示したように、記入された状態と同じ状態で表示するようにしてもよく、この場合は、試し書き画面に記入しておいた内容を薄く表示するようにしても良い。試し書き画面に記入しておいた内容を薄く表示することで、ユーザはその上から電子ペン３００でなぞることで文字を手書きで記入することができる。
【００８７】
以上、制御用コンピュータ１００’およびタブレット２００の動作について説明した。
【００８８】
＜３．まとめ＞
以上説明したように本発明の各実施形態では、タブレット２００への電子ペン３００を用いた文字の記入に不慣れなユーザがいることを考慮して、実際の取引にタブレット２００を用いる前に、試し書きのための画面を用意して、そのような不慣れなユーザに電子ペン３００を用いた文字の記入の練習の機会を与える。
【００８９】
そして、試し書き画面で電子ペン３００を用いた文字の記入を練習させて、上手く書けたとユーザが判断したものがあれば、その手書きの内容および手書き文字の文字認識結果を制御用コンピュータ１００’に保存して、その後の実際の取引において呼び出して使用できるようにする。
【００９０】
これにより、タブレット２００と電子ペン３００とを使用して文字を記入させるようなシステムにおいて、電子ペン３００を用いた文字の記入に不慣れなユーザに対し、実際の取引処理前に文字の記入およびその修正等の操作方法の練習を可能にさせるとともに、練習時に記入したデータを実際の取引で再利用可能とすることで、取引の効率を向上させることができる。
【００９１】
なお、上述した各実施形態では、制御用コンピュータ１００、１００’とタブレット２００とが画面表示用ケーブル１１および制御用ケーブル１２によって接続されている構成を示したが、本発明はかかる例に限定されない。タブレット２００の内部に、制御用コンピュータ１００、１００’の構成の一部または全部が含まれるようにしても良い。
【００９２】
また、上述した各実施形態では、制御用コンピュータ１００、１００’とタブレット２００とが画面表示用ケーブル１１および制御用ケーブル１２によって接続されている構成を示したが、本発明はかかる例に限定されない。例えば、電子ペン等で画面に触ることで手書き入力が出来るシステムであれば、同様に上述の各実施形態を適用可能であることは言うまでもない。例えば、電子ペン等で画面に触ることで手書き入力が出来る機能をＡＴＭに搭載した場合においても、上述したような手書き入力の練習用の画面を設けるとともに、練習時に記入したデータを実際の取引で再利用可能とするようにしてもよい。
【００９３】
なお、上記実施形態における各種動作は、ハードウェア的な処理によって実行されるようにしてもよく、ソフトウェア的な処理によって実行されるようにしてもよい。ソフトウェア的な処理によって上記各実施形態における各種動作を実行する場合には、コンピュータプログラムが格納された記録媒体及びコンピュータプログラムを実行するプロセッサその他の制御手段を制御用コンピュータ１００、１００’に設け、係る記録媒体からコンピュータプログラムを読み出し、係る制御手段において順次実行するようにしてもよい。
【００９４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９５】
１    情報表示システム
１１    画面表示用ケーブル
１２    制御用ケーブル
１００    制御用コンピュータ
１１０    デバイス情報受信部
１２０    判断部
１３０    文字認識部
１４０    辞書データ保持部
１５０    画面表示制御部
１６０    画面情報送信部
１７０    記入データ記憶部
２００    タブレット
２１０    デバイス情報検知部
２２０    デバイス情報送信部
２３０    画面情報受信部
２４０    画面表示部
３００    電子ペン
【図１】
2013105416.tif 000003
【図２】
2013105416.tif 000004
【図３】
2013105416.tif 000005
【図４】
2013105416.tif 000006
【図５】
2013105416.tif 000007
【図６】
2013105416.tif 000008
【図７】
2013105416.tif 000009
【図８】
2013105416.tif 000010
【図９】
2013105416.tif 000011
【図１０】
2013105416.tif 000012
【図１１】
2013105416.tif 000013
【図１２】
2013105416.tif 000014
【図１３】
2013105416.tif 000015
【図１４】
2013105416.tif 000016